(57)【要約】    【課題】  多重化された光信号の中から所定の波長の光信号を分波する際の分波する波長の変更を容易に行なうことができ、しかも、その交換が容易な光分波器および光分波機能を備えた光レセプタクルを提供することを目的とする。    【解決手段】  光分波器１は、透光性媒体３０の出射面３３と光ファイバ５ｅ、５ｆ、５ｇ、５ｈとの間にそれぞれ所定の波長の光信号のみを透過させるフィルタ４１ａ、４１ｂ、４１ｃ、４１ｄを介在させることにより、多重化光信号λ１、２、３、４の中から所定の波長の光信号を分波し、光レセプタクル５０は、複数の装着部５３に受光素子８がそれぞれ配設され、光コネクタ６０のフェルール６１が当接する受光素子８の前面に所定の波長の光信号のみを透過させるフィルタ４１ａ、４１ｂ、４１ｃ、４１ｄを配設することにより、多重化光信号λ１、２、３、４の中から所定の波長の光信号を分波し、分波された光信号を受光素子により電気信号に変換する。【選択図】  図１
2005115038.tif 000002
【特許請求の範囲】
【請求項１】
波長の異なる複数の光信号を多重化した多重化光信号の中から所定の波長の光信号を分波する光分波器において、
入射した光信号を出射面に伝達させる機能を有する透光性媒体と、
所定の波長の光信号のみを透過させるフィルタと、そして、
前記透光性媒体の出射面に光学的に接続される複数の光ファイバと、
を備え、
前記透光性媒体の出射面と各前記光ファイバとの間に所定の波長の光信号のみを透過させる前記フィルタをそれぞれ介在させることにより前記多重化光信号の中から所定の波長の光信号を分波して伝送するように構成されたことを特徴とする光分波器。
【請求項２】
請求項１に記載の光分波器において、
前記フィルタは、前記透光性媒体の出射面又は前記出射面に光学的に接続される前記光ファイバを保持するフェルールの先端面に配設されていることを特徴とする光分波器。
【請求項３】
波長の異なる複数の光信号を多重化した多重化光信号の中から所定の波長の光信号を分波する光分波器において、
入射した光信号を出射面に伝達させる機能を有する透光性媒体と、
所定の波長の光信号のみを透過させるフィルタと、そして、
光信号を電気信号に変換する複数の受光素子と、
を備え、
前記透光性媒体の出射面と各前記受光素子との間に所定の波長の光信号のみを透過させるフィルタをそれぞれ介在させることにより前記多重化光信号の中から所定の波長の光信号を分波し、分波された光信号をそれぞれ電気信号に変換するように構成されたことを特徴とする光分波器。
【請求項４】
請求項１から３のいずれか１項に記載の光分波器において、
前記透光性媒体は入射した光信号を拡散させて出射面から出射する光拡散機能を備えていることを特徴とする光分波器。
【請求項５】
波長の異なる複数の光信号を多重化した多重化光信号の中から所定の波長の光信号を分波する光分波機能を備えた光レセプタクルにおいて、
前記多重化光信号を伝送する光ファイバを内装するフェルールを備えた光コネクタアダプタを受け入れるための複数の装着部に光信号を電気信号に変換する受光素子がそれぞれ配設され、前記光コネクタアダプタのフェルールが当接する前記受光素子の前面に所定の波長の光信号のみを透過させるフィルタを配設することにより、前記多重化光信号の中から所定の波長の光信号を分波し、分波された光信号を前記受光素子により電気信号に変換するように構成されたことを特徴とする光分波機能を備えた光レセプタクル。
【発明の詳細な説明】
【技術分野】
【０００１】
本発明は、光分波器および光分波機能を備えた光レセプタクルに関し、さらに詳しくは、波長の異なる複数の光信号を多重化した多重化光信号の中から所定の波長の光信号を取り出して分波する光分波器および光分波機能を備えた光レセプタクルに関する。
【背景技術】
【０００２】
従来、光ファイバー通信においては、１本の光ファイバーに１波長の光信号を伝送させていたために、送信する光信号ごとに個別に光ファイバーが必要とされていた。従って、大規模なネットワークを構築する場合には使用する光ファイバーの本数が増加するため費用が嵩むという問題があった。そこで、光ファイバの有効活用を図ると共にコスト削減を目的として波長分割多重（ＷＤＭ：Wavelength-Division-Multiplexing）技術が開発された。この波長分割多重（ＷＤＭ）は、「波長が異なると互いに干渉しない」という光の特性を利用したもので、異なる波長の複数の光を多重化して１本の光ファイバーで伝送することを可能としたものである。
【０００３】
図１１を用いて波長分割多重の原理を示す。まず、異なる波長を持つ複数の光源から送られてきた光信号λ１、λ２、λ３、λ４を光信号多重化回路９１により多重化し、多重化された多重化光信号λ１、２、３、４を１本の光ファイバ９５により伝送する。そして、伝送された多重化光信号λ１、２、３、４は光信号分離化回路９３によって各波長ごとに分離して光信号λ１、λ２、λ３、λ４を得る、というものである。
【０００４】
多重化光信号の分離には波長選択性を有するプリズムや誘電体多層膜フィルタを用いたものの他、回折格子や光導波路を利用したもの等種々の方法が提案されている。その中でも上記フィルタは構造が簡単でしかも容易に入手可能という特徴がある。このフィルタは、例えば、ガラス基板に波長透過又は反射特性のある金属酸化膜（例えば、二酸化チタン等）を蒸着したものであり、この誘電体多層膜フィルタによればその透過率を波長によってほぼ０％〜１００％の間で変化させることが出来る。
【０００５】
かかるフィルタは、図１２に示すように、従来は光ファイバ心線８３に取着されていた。すなわち、光ファイバ素線８１の周囲に強度保護及び識別のため心線被覆が施されたファイバ心線８３の所定の部分をパイプ部材８５で覆い、パイプ部材８３の側面の一部にその角度が約９０°となるような切欠部を８９形成する。次に、その切欠部８９から光ファイバ素線８１に装着するフィルタ８７の厚さに相当する数十μｍのスリットを形成し、そのスリット内にフィルタ８７を装着する。そして、切欠部８９を接着剤で埋設固着することによりフィルタ８７を光ファイバ心線８３に接着していた。このようなタイプのフィルタとしては、特開平１１−３２６６４１号公報（特許文献１）、特開２００２−１９６１７７号公報（特許文献２）等において開示され、またフィルターモジュールとしては特開２００２−１３１５３２号公報（特許文献３）等においても開示されている。
【０００６】
【特許文献１】特開平１１−３２６６４１号公報（図１、第４図）
【特許文献２】特開２００２−１９６１７７号公報（図２、第４図）
【特許文献３】特開２００２−１３１５３２号公報（図２、第５図）
【発明の開示】
【発明が解決しようとする課題】
【０００７】
しかし、このような従来のフィルタにあっては、フィルタを取り付けるためのスリット加工が面倒であるという問題があった。また、接続する光ファイバの端面研磨作業や光軸合わせ等も作業負担が大きいという問題があった。
また、従来のフィルタにあっては、構造上分波する光の波長の変更を容易に行なうことができず、その交換作業が面倒であるという問題があった。
【０００８】
本発明はかかる問題点に鑑みなされたもので、多重化された光信号の中から所定の波長の光信号を分波する光分波器において、分波する波長の変更を容易に行なうことができ、しかも、その交換が容易な光分波器を提供することを目的とする。
また、分波する波長の変更を容易に行なうことができ、しかも、その交換が容易な光分波機能を備えた光レセプタクルを提供することを目的とする。
【課題を解決するための手段】
【０００９】
上記課題を解決するために請求項１に記載の本発明は、波長の異なる複数の光信号を多重化した多重化光信号の中から所定の波長の光信号を分波する光分波器において、入射した光信号を出射面に伝達させる機能を有する透光性媒体と、所定の波長の光信号のみを透過させるフィルタと、そして、透光性媒体の出射面に光学的に接続される複数の光ファイバとを備え、透光性媒体の出射面と各光ファイバとの間に所定の波長の光信号のみを透過させるフィルタをそれぞれ介在させることにより多重化光信号の中から所定の波長の光信号を分波して伝送するように構成されたことを特徴とする。
【００１０】
上記課題を解決するために請求項２に記載の本発明は、請求項１に記載の光分波器において、フィルタは、透光性媒体の出射面又は出射面に光学的に接続される光ファイバを保持するフェルールの先端面に配設されていることを特徴とする。
【００１１】
上記課題を解決するために請求項３に記載の本発明は、波長の異なる複数の光信号を多重化した多重化光信号の中から所定の波長の光信号を分波する光分波器において、入射した光信号を出射面に伝達させる機能を有する透光性媒体と、所定の波長の光信号のみを透過させるフィルタと、そして、光信号を電気信号に変換する複数の受光素子とを備え、透光性媒体の出射面と各受光素子との間に所定の波長の光信号のみを透過させるフィルタをそれぞれ介在させることにより多重化光信号の中から所定の波長の光信号を分波し、分波された光信号をそれぞれ電気信号に変換するように構成されたことを特徴とする。
【００１２】
上記課題を解決するために請求項４に記載の本発明は、請求項１から３のいずれか１項に記載の光分波器において、透光性媒体は入射した光信号を拡散させて出射面から出射する光拡散機能を備えていることを特徴とする。
【００１３】
上記課題を解決するために請求項５に記載の本発明は、波長の異なる複数の光信号を多重化した多重化光信号の中から所定の波長の光信号を分波する光分波機能を備えた光レセプタクルにおいて、多重化光信号を伝送する光ファイバを内装するフェルールを備えた光コネクタアダプタを受け入れるための複数の装着部に光信号を電気信号に変換する受光素子がそれぞれ配設され、光コネクタアダプタのフェルールが当接する受光素子の前面に所定の波長の光信号のみを透過させるフィルタを配設することにより、多重化光信号の中から所定の波長の光信号を分波し、分波された光信号を受光素子により電気信号に変換するように構成されたことを特徴とする。
【発明の効果】
【００１４】
本発明に係る光分波器によれば、透光性媒体の出射面と光ファイバとの間にそれぞれ所定の波長の光信号のみを透過させるフィルタを介在させることとしたので、多重化光信号の中から所定の波長の光信号を分波して光ファイバにより伝送することが可能となるという効果がある。また、本発明に係る光分波器は容易に交換可能なので分波する波長の変更を容易に行なうことができるという効果がある。しかも、フィルタを取り付けるためのスリット加工等が不要であるという効果もある。
また、本発明に係る光分波機能を備えた光レセプタクルによれば、多重化された光信号を光レセプタクルの内部で分波することができ、しかも構造が簡単で容易に製造することができるという効果がある。
【発明を実施するための最良の形態】
【００１５】
以下、本発明に係る光分波器および光分波機能を備えた光レセプタクルの好ましい実施形態について図面を参照しつつ詳細に説明する。ここで、図１は本発明に係る光分波器の第一の実施形態の概要を示す平面図である。
【００１６】
図示された光分波器１は、概約として、ハウジング１１と、ハウジング１１のほぼ中央部内に収納される透光性媒体３０と、フェルール２０に保持された入射側の１本の光ファイバ５ａと、そして、フェルール２０に保持された出射側の４本の光ファイバ５ｅ、５ｆ、５ｇ、５ｈとを備えて構成されている。尚、出射側の光ファイバの本数はこれに限定されるものではなく、分波すべき光信号の数に応じて設けられる。
ハウジング１１は、その内部に透光性媒体３０等の部材を収納するための空間部１３が設けられた約直方体形状を有して形成され、アルミニウムやアルマイト等の金属製素材はもちろん、プラスチック等の合成樹脂素材により形成することができる。ハウジング１１には内部の部材を覆うようにして図示しないカバーが取り付けられるようになっており、このカバーはハウジング１１の内部に外部からの光が入り込まないようにするためハウジング１１にしっかりと遮光可能に取り付けられる。また、ハウジング１１とカバーの間には気密性を確保するためにパッキン部材を配置して空気、液体等が流れ込むのを防止することが好ましい。
【００１７】
ハウジング１１の空間部１３には、透光性媒体３０が配置され、任意の取着手段によってハウジング１１に固定されている。本実施形態においては入射側の透光性媒体３０の端面３２には光拡散膜３１が設けられている。尚、使用する光の性質によっては光拡散膜３１を設けず光拡散性のない透光性媒体を用いることもできる。ここで、図２を参照しつつ光拡散機能の原理を簡単に説明する。まず、透光性媒体３０は、光を透過する素材、例えば、ガラス、光学プラスチックであるＰＭＭＡ（Polymethylmethacrylate）やポリオレフィン等によりシート状に形成され、光３５が入射される入射面３２には光を拡散させる光拡散膜３１を備えている。透光性媒体３０に光拡散膜３１を設けるのは、入射される光の出射角が狭く直進性が高い光（例えば、ＬＤ（Laser Diode）による光）である場合には入射された光が透光性媒体３０内で十分に拡散せず出射面３３に均一に伝達しない場合が考えられるからである。そのため、光拡散膜３１を設けることにより光を拡散させ易くすることが必要となる。これに対し、入射される光の出射角が広く、拡散性を有する光信号（例えば、ＬＥＤ（Light Emitting Device）による光）である場合には透光性媒体３０内で十分に拡散して出射面３３に均一に伝達するので、光拡散膜３１を特に設けなくともよい。尚、光拡散膜３１は物理的な接着に限らず透光性媒体３０の端面に一体成型によって形成することもできる。
【００１８】
この透光性媒体３０の入射面３２から光３５を入射すると（光の出射角が狭い場合は光拡散膜３１により）幅方向に広く拡散される。そして、拡散された光３６は、透光性媒体３０の内部で全反射を繰り返しながら拡散されて出射面３３の全面に均一に到達する。これにより、出射面３３の任意の位置で出射光３７を得ることが可能となる。
かかる透光性媒体３０の入射面３２に、図３に示すように、例えば４本の光ファイバ５ａ、５ｂ、５ｃ、５ｄを密接させて光学的に接続する。一方、対向する出射側端面３３にも４本の光ファイバ５ｅ、５ｆ、５ｇ、５ｈを密接させて光学的に接続する。そして、入射面３２に密接された４本の光ファイバのうち１つの光ファイバ、例えば、光ファイバ５ｂから光３５を入射させると光信号３５は（光の出射角が狭い場合は光拡散膜３１により拡散され）透光性媒体３０内で全反射を繰り返し（光３６）、出射面３３に密接された４本の光ファイバ５ｅ、５ｆ、５ｇ、５ｈの全てから同じ出射光３７を取り出すことが可能となる。
【００１９】
上述した機能を有する透光性媒体３０を内装するハウジング１１の両側には入射側の光ファイバ５ａを保持したフェルール２０と出射側の光ファイバ５ｅ、５ｆ、５ｇ、５ｈを保持したフェルール２０がそれぞれ透光性媒体３０の端面に密接するように装着する装着部３４が形成されている。フェルール２０は、光ファイバ５ａ及び光ファイバ５ｅ、５ｆ、５ｇ、５ｈの端部側をしっかりと保持してハウジング１１内に内装された透光性媒体３０の入射面３２又は出射面３３にそれぞれ密接させて両者を光学的に接続させるものである。フェルール２０は公知の係合手段にて装着部３４に着脱可能に装着されるようになっている。
【００２０】
入射側の光ファイバ５ａからは図示しない光合波器によって波長の異なる複数の光信号λ１、λ２、λ３、λ４を多重化した多重化光信号λ１、２、３、４が１本の光ファイバ５ａにより伝送される。そして、伝送された多重化光信号λ１、２、３、４は入射面３２から透光性媒体３０に入射されるようになっている。
【００２１】
一方、透光性媒体３０の出射面３３とフェルール２０に保持された光ファイバ５ｅ、５ｆ、５ｇ、５ｈの先端部との間には所定の波長の光のみを透過させるフィルタ４０が配置されている。フィルタ４０は、例えば、薄膜の干渉により任意の波長の光だけを透過させ、他の波長の光は遮断する干渉フィルタが用いられる。干渉フィルタは、ガラス等の基板上に交互に積み重ねた薄膜の干渉効果を利用した光学フィルタであり、不透過域の波長や波長幅は膜物質の屈折率や厚みによって適宜調整される。また、フィルタの基板をポリイミドとすることによりガラスの場合に比べて極めて薄いフィルタとすることが可能となる。図１に示した第一の実施形態においては、フィルタ４０は薄膜状のポリイミドフィルタが用いられ、このポリイミドフィルタが透光性媒体３０の出射面３３に配設されている。また、フィルタ４０は、ポリイミドフィルタを出射面３３に接着するほか、透光性媒体３０の出射面３３に直接薄膜を蒸着することにより配設することも可能である。
【００２２】
フィルタ４０は、多重化光信号λ１、２、３、４の中から光信号λ１のみを透過させるフィルタ４１ａと、光信号λ２のみを透過させるフィルタ４１ｂと、光信号λ３のみを透過させるフィルタ４１ｃと、光信号λ４のみを透過させるフィルタ４１ｂとがそれぞれ光ファイバ５ｅ、５ｆ、５ｇ、５ｈが横列される方向に隣り合うように連設されて形成され、フィルタ４１ａには光ファイバ５ｅが、フィルタ４１ｂには光ファイバ５ｆが、フィルタ４１ｃには光ファイバ５ｇが、フィルタ４１ｄには光ファイバ５ｈが、それぞれ光学的に接続されるようになっている。これにより、光ファイバ５ａにより伝送されてきた多重化光信号λ１、２、３、４は、フィルタ４１ａにより光信号λ１が分波されて光ファイバ５ｅにより伝送され、フィルタ４１ｂにより光信号λ２が分波されて光ファイバ５ｆにより伝送され、フィルタ４１ｃにより光信号λ３が分波されて光ファイバ５ｇにより伝送され、フィルタ４１ｄにより光信号λ４が分波されて光ファイバ５ｈにより伝送される。
【００２３】
また、フィルタ４０は、透光性媒体３０の出射面３３だけでなく、出射面３３側のフェルール２０の前面２１に配設することも出来る。すなわち、図４に示すように、光信号λ１のみを透過するフィルタ４１ａが光ファイバ５ｅの正面に位置し、光信号λ２のみを透過するフィルタ４１ｂが光ファイバ５ｆの正面に位置し、光信号λ３のみを透過するフィルタ４１ｃが光ファイバ５ｇの正面に位置し、光信号λ４のみを透過するフィルタ４１ｄが光ファイバ５ｈの正面に位置するようにそれぞれ配設されている。これによっても光ファイバ５ａにより伝送されてきた多重化光信号λ１、２、３、４を各波長ごとに分波することが可能となる。この場合、フェルール２０からあまり離れない位置に（フェルールの交換作業が実質的に可能程度の距離）光ファイバ５ｅ、５ｆ、５ｇ、５ｈのそれぞれに、図６に示すように、光コネクタプラグ６ｅ、６ｆ、６ｇ、６ｈを設け、この光コネクタプラグ６ｅ、６ｆ、６ｇ、６ｈを光コネクタアダプタ２７により光信号λ１、λ２、λ３、λ４をさらに伝送する別の光ファイバ７ｅ、７ｆ、７ｇ、７ｈとそれぞれ接続するように構成する。このように、出射面３３側のフェルール２０をそれとは異なる波長を透過させるフィルタ４０が配設されたものに交換可能とすることにより分波する光信号の波長を任意に変更することができる。
【００２４】
ところで、透光性媒体３０の入射面３２に１本の光ファイバ５ａにより多重化光信号λ１、２、３、４で入射させる図１に示す光分波器１のほか、透光性媒体３０の入射面３２に光信号λ１、λ２、λ３、λ４をそれぞれ独立して伝送する複数の光ファイバを接続して構成することもできる。すなわち、図５に示す第二の実施形態における光分波器２は、透光性媒体３０の入射面３２にフェルール２０に保持された複数の光ファイバ５ａ、５ｂ、５ｃ、５ｄが光学的に接続されて構成されている。そして、光ファイバ５ａは光信号λ１を、光ファイバ５ｂは光信号λ２を、光ファイバ５ｃは光信号λ３を、光ファイバ５ｄは光信号λ４をそれぞれ伝送し、透光性媒体３０の入射面３２から入射して、透光性媒体３０内で多重化した多重化光信号λ１、２、３、４を透光性媒体３０の出射面３３に配設されたフィルタ４１ａ、４１ｂ、４１ｃ、４１ｄによって分波するというものである。本実施形態における光分波器２によれば、光ファイバ５ａを介して伝送されてきた光信号λ１は透光性媒体３０の入射面３２より入射されて出射面３３のほぼ前面に達し、光信号λ１のみを透過するフィルタ４１ａによって分波され光ファイバ５ｅを介して伝送される。同様に、光ファイバ５ｂを介して伝送されてきた光信号λ２はフィルタ４１ｂにより分波され光ファイバ５ｆを介して伝送され、光ファイバ５ｃを介して伝送されてきた光信号λ３はフィルタ４１ｃにより分波され光ファイバ５ｇを介して伝送され、光ファイバ５ｄを介して伝送されてきた光信号λ４はフィルタ４１ｄにより分波され光ファイバ５ｈを介して伝送される。尚、それ以外の構成については上述の第一の実施形態とほぼ同様であるのでそれらの説明は省約する。
【００２５】
上述した光分波器１、２において、フィルタ４０が透光性媒体３０の出射面３３に配設されている場合に、分波する波長を変更したい場合には光分波器１、２自体を交換することにより取り出すべき光信号の波長の変更を容易に行なうことができる。また、フィルタ４０が出射面３３側のフェルール２０の前面２１に配設されている場合には、出射面３３側のフェルール２０を交換することにより取り出すべき光信号の波長の変更を容易に行なうことができる。
【００２６】
一方、フィルタ４１ａ、４１ｂ、４１ｃ、４１ｄによって分波された光信号λ１、λ２、λ３、λ４を光ファイバ５ｅ、５ｆ、５ｇ、５ｈを介して伝送せずに、直接受光素子８ａ、８ｂ、８ｃ、８ｄによって電気信号に変換する構成とすることもできる。すなわち、図７に示す光分波器１’は、図１に示した光分波器１の出射側のフェルール２０に替えてＦＰＣ（Flexible Printed Circuit）に受光素子８ａ、８ｂ、８ｃ、８ｄを実装したＯ／Ｅ変換ユニット２５を配置したものである。受光素子８ａ、８ｂ、８ｃ、８ｄは、例えば、ＰＤ（Photo Diode）を備えて構成され、光信号の電気信号への変換を行なう電子部材である。各フィルタ４１ａ、４１ｂ、４１ｃ、４１ｄの近傍には多重化光信号λ１、２、３、４の中から分波された光信号をそれぞれ電気信号に変換する受光素子８ａ、８ｂ、８ｃ、８ｄが光学的に接続されており、Ｏ／Ｅ変換ユニット２５により変換された電気信号は導電線２６ｅ、２６ｆ、２６ｇ、２６ｈにより伝送される。尚、その他の構成については図１に示した光分波器１とほぼ同様なのでその説明は省約する。また、図７の光分波器１’は１本の光ファイバ５ａにより伝送されてくる多重化光信号λ１、２、３、４を分波するタイプの光分波器１’であるが、図５に示したような複数の光ファイバにより光信号λ１、λ２、λ３、λ４をそれぞれ独立して伝送する光分岐器２もこれと同様に直接受光素子によって電気信号に変換する構成とすることももちろん可能である。
【００２７】
さらに、図８に示す光分波器１’は、図７に示した光分波器１’に配置された透光性媒体３０の出射面３３側を約４５°に傾斜させることにより光ファイバ５ａを介して入射された多重化光信号λ１、２、３、４を傾斜面に反射させて下側方向から出射させるタイプのものである。すなわち、透光性媒体３０の出射面３３側の端部が約４５°に斜めにカットされて形成され、入射面３２から入射された多重化光信号λ１、２、３、４は傾斜面に反射して透光性媒体３０の下側方向から出射されるようになっている。多重化光信号λ１、２、３、４が透過する透光性媒体３０の下面に位置する出射端面３３にはフィルタ４１ａ、４１ｂ、４１ｃ、４１ｄが配置されている。そして、出射面３３側の装着部３４には受光素子８ａ、８ｂ、８ｃ、８ｄを実装したＯ／Ｅ変換ユニット２５が配置されている。尚、図８（ｂ）ではフィルタ４１ａと受光素子８ａのみを示した。これにより、受光素子８ａ、８ｂ、８ｃ、８ｄにより変換された電気信号は導電線２６ｅ、２６ｆ、２６ｇ、２６ｈにより伝送される。尚、その他の構成については図７に示した光分波器１’とほぼ同様なのでその説明は省約する。また、複数の光ファイバにより光信号λ１、λ２、λ３、λ４をそれぞれ独立して伝送するように構成することも可能であることはいうまでもない。
【００２８】
次に、本発明に係る光分波機能を備えた光レセプタクルの一実施形態について説明する。図９に示すのは、本発明に係る光分波機能を備えた光レセプタクルの一実施形態の概約断面図である。
図９に示す光レセプタクル５０は、フェルール６１に保持された多重化光信号λ１、２、３、４を伝送する光ファイバ５を内装する光コネクタプラグ６０（図では１つのみ記載されている）を受け入れる複数（図では４つ）の装着部５３ａ、５３ｂ、５３ｃ、５３ｄと、装着部５３ａ、５３ｂ、５３ｃ、５３ｄの底部に光信号を電気信号に変換する受光素子８ａ、８ｂ、８ｃ、８ｄがそれぞれ配置されている。受光素子８ａ、８ｂ、８ｃ、８ｄは基板５１上に配設され、変換した電気信号をその後の装置や回路に伝送するようになっている。そして、受光素子８ａ、８ｂ、８ｃ、８ｄとフェルール６１の間には所定の波長の光を透過させるフィルタ４１ａ、４１ｂ、４１ｃ、４１ｄがそれぞれ配置されている。この構成によりフェルール６１は、装着部５３ａ、５３ｂ、５３ｃ、５３ｄに装着されるとフィルタ４１ａ、４１ｂ、４１ｃ、４１ｄに当接した状態で受光素子８ａ、８ｂ、８ｃ、８ｄと光学的に接続される。尚、フィルタ４１ａ、４１ｂ、４１ｃ、４１ｄは上述した実施形態のものと同様のものが用いられている。また、光レセプタクル５０は、両側部に設けられた取付穴５７、５７にビス等の装着具７３、７３により基板７１に固定されるようになっている。
【００２９】
かかる構成の光レセプタクル５０によれば、まず、光レセプタクル５０の各装着部５３ａ、５３ｂ、５３ｃ、５３ｄに光ファイバ５を内装した光コネクタプラグ６０をそれぞれ装着することによって光ファイバ５を介して伝送される多重化光信号λ１、２、３、４はフィルタ４１ａ、４１ｂ、４１ｃ、４１ｄにより所定の波長の光信号にそれぞれ分波され、分波された各光信号は受光素子８ａ、８ｂ、８ｃ、８ｄにより電気信号に変換される。
【００３０】
一方、フィルタ４１ａ、４１ｂ、４１ｃ、４１ｄは、光ファイバ５を保持してフェルール６１内に収納される光ファイバ５の先端部に配設することもできる。すなわち、図１０に示すように、フィルタ４１ａ、４１ｂ、４１ｃ、４１ｄを光レセプタクル５０に配設された受光素子８ａ、８ｂ、８ｃ、８ｄと光学的に接続されるフェルール２１の端面２２にそれぞれ配設することもできる（尚、図１０ではフィルタ４１ａのみが示されている）。このような方法によってもフィルタ４１ａ、４１ｂ、４１ｃ、４１ｄを受光素子８ａ、８ｂ、８ｃ、８ｄと光ファイバ５との間に介在させることが出来る。そして、光ファイバ５により伝送される多重化光信号はフェルール６１の前面に配設されたフィルタ４１ａ、４１ｂ、４１ｃ、４１ｄによって所定の波長の光信号にそれぞれ分波され、分波された各光信号は受光素子８ａ、８ｂ、８ｃ、８ｄにより電気信号に変換される。
【図面の簡単な説明】
【００３１】
【図１】本発明に係る光分波器の第一の実施形態の概要を示す平面図である。
【図２】光拡散伝送の原理を説明するための説明図である。
【図３】光拡散媒体の機能を模式的に示した斜視図である。
【図４】フェルールに設けられるフィルタを示した斜視図である。
【図５】本発明に係る光分波器の第二の実施形態の概要を示す平面図である。
【図６】光ファイバを接続する光コネクタアダプタを示す斜視図である。
【図７】分波された光信号を受光素子により電気信号に変換するようにされた光分波器の一実施形態の平面図である。
【図８】（ａ）は図７とは異なる実施形態の光分波器の平面図、（ｂ）はその概略側面図である。
【図９】本発明に係る光レセプタクルの一実施形態の断面図である。
【図１０】フェルールの前面にフィルタを配設した状態の断面図である。
【図１１】波長分割多重の原理を示すブロック図である。
【図１２】フィルタが設けられた従来の光ファイバの断面図である。
【符号の説明】
【００３２】
１、１’      光分波器
２      光分波器
８ａ〜８ｄ      受光素子
５ａ〜５ｈ      光ファイバ
１１      ハウジング
１３      空間部
２０      フェルール
２１      フェルール前面
３０      透光性媒体
３１      光拡散膜
３２      入射面
３３      出射面
３４      装着部
４０  フィルタ
４１ａ、４１ｂ、４１ｃ、４１ｄ      フィルタ
５０      光レセプタクル
５１      基板
５３ａ〜５３ｂ      装着部
５７      取付穴
６１      フェルール
【図１】
2005115038.tif 000003
【図２】
2005115038.tif 000004
【図３】
2005115038.tif 000005
【図４】
2005115038.tif 000006
【図５】
2005115038.tif 000007
【図６】
2005115038.tif 000008
【図７】
2005115038.tif 000009
【図８】
2005115038.tif 000010
【図９】
2005115038.tif 000011
【図１０】
2005115038.tif 000012
【図１１】
2005115038.tif 000013
【図１２】
2005115038.tif 000014